(57)【要約】【課題】家具や本棚の側面、冷蔵庫のドア面、タイル面、スチール面、ビニールクロス面等の任意の場所、例えば、前記の面のどこでも目につきやすく、手の届きやすい場所に紙袋、ポリ袋等のポケットを備えることができる係止シートを提供する。【解決手段】細長い矩形の舌片(３)と、前記舌片(３)の長手方向の、一方の縁部に一体に連設され、かつこの長手方向縁部より幅の狭い形態の係止シート本体(２)と、舌片(３)と係止シート本体(２)にまたがるように連設されたステイ(４)を設けるための、切り込み(５ａ、５ｂ)を設け、係止シート本体(２)と舌片(３)とステイ(４)と、前記切り込み(５ａａ、５ａｂ)でつながっている片(２ａ、２ｂ)との片側面ほぼ全面に塗布された粘着剤(７)とを備えた係止シート。【選択図】  図１
2006167349.tif 000002
【特許請求の範囲】
【請求項１】
細長い矩形の舌片３と、前記舌片３の長手方向の、一方の縁部(３ａ)に一体に連設され、かつこの長手方向縁部より幅の狭い形態の係止シート本体２と、舌片(３)と係止シート本体(２)にまたがるように連設されたステイ(４)を設け、これを形成するための切り込み(５ａ、５ｂ)を設け、係止シート本体(２)と舌片(３)とステイ(４)と、前記切り込み(５ａ、５ｂ)でつながっている片(２ａ、２ｂ)との片側面ほぼ全面に塗布された粘着剤(６)とを備えた係止シート。
【請求項２】
袋状の物体に装着したとき舌片(３)が袋状の物体の口を拡開するようにした、舌片(３)の舌片(３)の他方の縁部からほぼ三分の一の位置に、この他方の縁部と略並行に設けられたミシン目状の折れ線(６)を設けた請求項１記載の係止シート。
【発明の詳細な説明】
【技術分野】
【０００１】
本発明は、各種の壁面に、袋状の物体(紙袋、ポリ袋、樹脂製箱型容器)等を粘着し係止保持する係止シートに関する。
【背景技術】
【０００２】
従来、剥離できる粘着剤を塗布した一枚のシートは、貼って剥がせる付箋紙やメモ用紙として使用するのが主であり、機能面では地図上の目的地を矢印で示す等の使用法が知られている。
一方係止用として、両面テープや延伸剥利テープはあるが、袋状の物体に粘着し係止保持する目的の幅広のタイプはなく、幅が広く大き目の物はあるが、梱包用の粘着ガムテープに代表されるものであり、各種類開発され、使用されている。しかし係止用ではなく、これを切って粘着することもあるが、使用後に剥すとき壁を傷めることがあり、袋状の物体等に粘着し、壁面に係止保持するための専用の係止シートはなかった。
【発明の開示】
【発明が解決しようとする課題】
【０００３】
そこで、本発明は、家具や本棚の側面、冷蔵庫のドア面、タイル面、スチール面、ビニールクロス面等の立面は、生活空間の中に多く存在しているのに、利用できる保持具は限定されていて、磁石の使用できる場所はスチール面の磁性体であり、吸盤の使用できる面は、タイルやガラス面の平滑な面であり、任意の所望の場所、例えば、目につきやすく手の届きやすい場所に、袋状の物体(紙袋、ポリ袋、樹脂製箱型容器)等を、手軽に備えることができなかったことを解決することを課題とする。
【課題を解決するための手段】
【０００４】
上記課題を解決するために、壁面等の保持部材に対して、保持部材の適否を選ぶことなく、本発明の係止シートを介して、袋状の物体(紙袋、ポリ袋、樹脂製箱型容器)等を手軽に備えることができる係止シートは、細長い矩形の舌片３と、前記舌片３の長手方向の、一方の縁部３ａに一体に連設され、かつこの長手方向縁部より幅の狭い形態の係止シート本体２と、舌片３と係止シート本体２にまたがるように連設されたステイ４を形成するための、切り込み５ａ、５ｂを設け、係止シート本体２と舌片３とステイ４と、前記切り込み５ａａ、５ｂａでつながっている片２ａ、２ｂとの片側面ほぼ全面に塗布された粘着剤６とを備えたことを特徴とする係止シートである。
【０００５】
なお、係止シートを袋状の物体に装着したとき舌片３が袋状の物体の口を拡開するようにした舌片３の、他方の縁部２ｂからほぼ三分の一の位置に、この他方の縁部２ｂと略並行に設けられたミシン目状の折れ線５を設けることが可能である。
更に、上記の、本発明の係止シートは、係止シート本体２と、袋状の物体を拡開するようにした舌片３と、前記した袋状の物体の中に入れられる物の荷重を分担するためと、係止シート本体２の補強用のステイ４を連設して成るが、図１の符号Ｒで示されるように集中応力を起こさない様に、Ｒを設けて形成する。
【発明の効果】
【０００６】
家具や本棚の側面、冷蔵庫のドア面、タイル面、スチール面、ビニールクロス面等に対して、係止シートを使用して、例えば、磁石や吸盤、釘や鋲が使用できない壁面やテーブルや机の端に粘着して、袋状の物体(紙袋、ポリ袋、樹脂製箱型容器)等を備えることができて、使用できるという効果を奏する。
【０００７】
同様に、係止シートを使用して、安定した形状に成型されたプラスチックボックスを備える場合に置いては、出し入れする際に触ることがあっても形状がくずれることもなく、出し入れも容易であることから、最も使用頻度の高い物の保管取出しに使用することにより作業効率が一層向上する効果を奏する。
【０００８】
同様に、係止シートを使用して、袋状の物体等を備える場合、磁石や吸盤や釘等を使用するときの様に場所を選ぶ必要がなく、手が届きやすく、見やすい最も所望する場所に備えることが可能であり、物を保管使用するとき、作業が迅速にできるという利便性を奏する。
同様に、係止シートを使用して、ＰＰ製封筒状のクリアーポケットの内側上部に粘着し、デスクの身近な立面に備えて、手紙、はがき、通知書、案内書等の整理保管が容易にできて便利である。
【０００９】
同様に、係止シートを使用して、袋状の物体等を、手の届く範囲の壁面に貼り付けて、作業中の臨時のゴミ袋とすることで、頻繁に発生する細かいゴミを捨てるのにいちいち余分に動かなくても良い、一次処理として使用できる。ゴミがいっぱいになったら、外してそのままゴミ箱に捨てられる利点がある。
また、大小複数の袋状の物体を備えることで、その場で資源の分別も可能になる。
【００１０】
同様に、係止シートを使用して、レストランのテーブルの端に、その店のデザインされたミニラビッシュボックスを備えて置くと、食事中に発生する使用済テッシュや紙ナプキンや爪楊枝等、テーブル上の使用済みテッシュ等が発生都度片付けられて、テーブルの上をきれいに保つことができる。
【発明を実施するための最良の形態】
【００１１】
以下、図１から図６を参照して、本発明の第一の実施例について説明する。
まず、図１に置いて、符号２が係止シート本体２であり、主として壁面への粘着部分を担い、袋状の物体に入れられる荷重を保持し、かつ一部は袋状の物体の内側に粘着し、袋状の物体を保持する両方の役割を担い、符号３は、袋状の物体の口を拡開するための舌片３であり、袋状の物体の内側上部に、適宜に貼って舌片３の復元力を活用し、袋状の物体の拡開する役割を担うと同時に、袋状の物体の内側に粘着係止する部分も担い、符号４はステイを示し、袋状の物体の上端部内側に粘着し、且つ袋状の物体の中に入れられる物の荷重を係止シート本体２と一体になって担い、係止シート本体２と舌片３とステイ４を連設された状態に設けるための切り込み５ａ、５ｂを設け、係止シート本体２と舌片３とステイ４と、前記切り込み５ａの５ａａ、５ｂの５ｂａでつながっている片２ａ、２ｂとの片側面ほぼ全面に塗布された粘着剤７とを備えた構成である。
【００１２】
なお、袋状の物体の材質、厚さによって、袋状の物体の口を拡開するための舌片３の復元力が十分でない場合には、図１に置いて舌片３の他方の縁部３ｂからほぼ三分の一の位置に、この他方の縁部３ｂと略並行に設けられたミシン目状の折れ線５が設けられている。
図２は、Ａ―Ａ断面拡大図であり、前記の折れ線５に従い粘着剤７を塗布した側に折畳むことによって、粘着剤同士の接着力で強固に粘着され、この二枚張りとなる舌片３は、弾性力が増すので、復元力を増すこととなる。しかしこの構造を使用するかどうかは、自由である。
なお、前記切り込み５ａ、５ｂの５ａａ、５ｂａでつながっている２ａ、２ｂの切り離された片は、図５で示す様に係止シート本体２の上から、係止シート本体２に一部重ねて壁面に貼り付け、係止シート本体２の粘着力の補強用に使用し、安全率を高めるのに使用してもよいし、他に使用しても良い。自由である。
【００１３】
図３は、係止シート１の、それぞれ係止シート本体２、舌片３、ステイ４、片２ａ、２ｂの片側面ほぼ全面に粘着剤７を塗布し、複数枚の係止シートを重ね合わせ、互いに剥離可能に接着して構成することを示している図である。この場合は、図４に示す剥離紙８は必要なく、図３に置いて示す最下層の係止シート１の粘着面が剥離可能に、台紙９に接着されている。
【００１４】
なお、図３に示す複数枚を重ね合わせるメモ用紙タイプを採用するのは、係止シート本体２の材質に紙を用いて、係止シートを製作する場合、再生紙の使用が可能であり環境負荷の軽減が可能となり、且つコスト低減が図れ、粘着係止した袋状の物体とその中に捨てられるものと一緒に使い捨てられることを想定しているが、これに限らず一枚ずつにしても良い。この場合には粘着剤を塗布した面は、図４に置いて示す剥離紙８で被覆する。
【００１５】
一枚ずつに個装する場合は、係止シートの材料に合成樹脂系の柔軟なシートを使い、反復使用可能なウレタンエラストマー等の粘着剤を使用することによって、使い捨てにせず、何度も使用できる係止シートを提供でき、埃等が付着し粘着力が弱まってきた場合でも、水で洗い乾かすことで粘着力が回復する利点があり、この方法をとっても良い。
【００１６】
気軽に使える使い捨てにするか、コスト高になるが反復使用できる係止シートにするかは、マーケティング、企画の問題であり、どちらを採るかは自由である。
なお、係止シートの基地は機能を満たす限り、材質、形状、厚さ、重ねる枚数は自由である。
【００１７】
図4は、係止シート１の側面図であり、貼って剥せる粘着剤７と、粘着剤７を剥離紙８で被覆している図である
図５は、マチのある袋状の物体の内側に、袋状の物体の口を拡開するための舌片３を粘着し、袋状の物体の口を拡開した状態を示す斜視図である。実際には袋状の物体の広げられる口の状態は、弾性力により、やや円形の状態になるが、便宜上直方体に示している。
図６は、袋状の物体の内側に、袋状の物体の口を拡開するための舌片３を粘着し、係止シート２を壁面に粘着し、片２ａ、２ｂを補強用に貼った状態を示している側面図である。
【００１８】
第一の実施例に置いての係止シート本体２の厚さは略０．１５ｍｍ(実際には紙に関しては目方表示するのが正しいが、紙に限らない基地の使用もあることから厚さ表示している)の紙を想定しているが、その理由は、袋の口を拡開するための舌片が、十分な復元力を有するためと、袋状の物体に入れられるものの荷重に耐えられる十分な強さを確保するためであるが、袋状の物体の大きさ、想定荷重により係止シートの材質、厚さを決める方が目的にかなう設計ができるので、この厚さや材質に拘るものではなく、適宜に設計されるのが望ましい。
【００１９】
また、係止シート本体２と舌片３とステイ４を一体に形成する時、図１の符号Ｒに示すようにＲを設け、応力が集中しないようにすることが必要であり、Ｒを形成せず角に形成するとそこに集中応力が生じ、そこから係止シートが破れることを防ぐためである。
又切り込み５ａ、５ｂを設けるとき、このＲ部分は滑らかになるよう接続部５ａａ、５ｂａは避けるように設けるのが望ましい。
【００２０】
本発明の第一実施例の詳細説明をする。
図５は、係止シートを使用して、袋状の物体(紙袋、ポリ袋、樹脂製箱型容器等)を係止保持する過程の状態斜視図であり、図１に示される様に、この第一の実施例に置いての係止シート１は、全長２５０ｍｍ全高１００ｍｍであり、袋状の物体の口を拡開するための細長い矩形の舌片３の、長手方向の一方の縁部３ａに一体に連設され、かつこの長手方向縁部より幅の狭い形態の係止シート本体２と、舌片３と係止シート本体２にまたがるように連設されたステイ４を、連設された状態に設けるための切り込み５ａ、５ｂを設け、係止シート本体２と舌片３とステイ４と、前記切り込み５ａの５ａａ、５ｂの５ｂａでつながっている片２ａ、２ｂが一体に形成されている状態を示している。
【００２１】
細長い矩形の舌片３は短い縁辺が３０ｍｍ、長い縁辺が２５０ｍｍであり、前記舌片３の長手方向の、一方の縁部３ａに一体に連設され、かつこの長手方向縁部より幅の狭い形態の係止シート本体２は短い縁辺が７０ｍｍ、長い縁辺が１００ｍｍであり、舌片３と係止シート本体２にまたがるように連設されたステイ４は、第一実施例に置いては直角三角形で直角片の短い縁辺が３０ｍｍ、長い縁辺が４０ｍｍである。
【００２２】
袋の口を拡開するための舌片３は、プラスチック製の箱状で既に口が開いている状態に成型されている箱型ポケットに使用する場合はそのまま、ポケットの内面に粘着して、係止シート本体２を任意の壁に貼り付け、ポケットとして使用できる。
【００２３】
ポリ袋のように超軟体な袋であっても、本発明の係止シートを使用すると袋の口を拡開した状態で、任意な場所に粘着係止できる。
ポリ袋等と違って、箱型プラスチックポケットの様に口が既に開いている状態の場合は、ステイ４部分も含めて舌片３の延長されている部分について、ポケットの口に合わせて適宜鋏で切って使用しても良い。
【００２４】
袋状の物体が、入れられた物でいっぱいになり、粘着している部分を剥す時は、袋の外側の部分は壁等に粘着されていないので、袋状の物体の中に入れられるものの荷重で、先ず、ステイ４のおのおのの両端縁から剥がれ始めているか粘着が弱まっているので、入れられる袋状の物体の中身と一緒に壁面から引き離す方向にゆっくり剥すことで、壁面を傷付けることなく剥すことが可能である。
【００２５】
係止シート本体２の粘着力の補強用に、片２ａ、２ｂを貼って使用する場合は、先に、片２ａ、２ｂを剥がしてから、前記の方法を用いるのが望ましい。もともと貼って剥せる粘着剤が使用されており、強力に粘着されていない、粘着の摩擦力と粘着面積によって、貼った面に沿って引っ張る力に対して、耐力があることに着目した発明である。
【００２６】
粘着剤の粘着度は、貼って剥せるスコッチテープは、幅が狭いのと超柔軟なテープであり、直角あるいはそれ以上の角度角に引き離す方向に引張ることも可能であり、ゆっくり剥すことで、剥がせるが、幅広く全面に塗布されることを考えると、スコッチテープに使用されている粘着力より弱く、付箋紙糊よりは強い粘着力が望ましい。
しかし、これも係止シートのサイズと、壁Ｗ等の保持部材により異なるので、係止シートの使用対象を考慮し、それに最適な粘着度を設計されるのが望ましい。
【００２７】
本発明は、以上のように極めて簡単な構造の係止シートで、これを使用すると、家具や本棚の側面、冷蔵庫のドア面、タイル面、スチール面、ビニールクロス面等々広範囲の面に貼り付けられ、係止シート１は、摩擦力と粘着面積の相乗で粘着面と平行な方向の張力が強いことを利用した係止シートである。
【００２８】
本発明の第一の実施例に置いては、係止シート本体２に、オーソドックスな矩形を採用して説明しているがデザイン的にこれに拘るものではなく、以下、係止シート本体２と細長い矩形の舌片３とステイ４の連接された形状の何種類かを説明する。
図７は、本発明第一実施例と同様の係止シート本体２と袋状の物体の口を拡開するための舌片３と連設されるステイ４部分を、係止シート本体２の短い縁辺と、細長い矩形の舌片３の長い縁辺３ａとの接線を大きなＲ(４分の１円弧)で形成した形状を示す係止シートである。
【００２９】
図８は、係止シート本体２部分を円で構成し、その円弧と、袋状の物体の口を拡開するための舌片３の、長手方向の一方の縁部３ａとステイ４の直角三角形の斜線が交わる部分の接線をそれぞれＲで形成した状態に連設された形状を示している係止シートである。
【００３０】
図９は、係止シート本体２部分を四角星に似せた構成で、その星と、袋状の物体の口を拡開するための舌片３の、長手方向の一方の縁部３ａとステイ４の直角三角形の斜線が交わる部分の接線とそれぞれＲで形成した状態に連設された形状を示して、いわゆる人間に例えると頭の部分が四角星に似ている係止シートである。
【００３１】
図１０は、係止シート本体２部分をハートに似せた構成で、そのハートの一辺と、袋状の物体の口を拡開するための舌片３の、長手方向の一方の縁部３ａとステイ４の直角三角形の斜線が交わる部分の接線をそれぞれＲで形成した状態に連設された形状を示して、いわゆる人間に例えると頭の部分がハートに似ている係止シートである。
【００３２】
上記に示す様に、係止シート本体２部分が壁面に粘着されて、各種のポケットを係止するため、視覚的に目に触れる係止シート本体２部分の形のデザインが印象を強くし、単なる一枚の係止シートであるが、インテリアの一部ともなり、楽しい、面白い、カラフルな係止シートが創出される。
つまり、花びらの形、木の葉の形、動物の形等々が考えられる。
【００３３】
又、係止シート１の材料にスポンジ状の厚さ２ｍｍ前後の柔軟シートを使い、貼って剥がせる反復使用可能なウレタンエラストマー粘着剤等を塗布し、これを使用する場合に置いては、小さい凹凸面のある壁面にも適用できる。
又、係止シート１の材料にスポンジ状の厚さ２ｍｍ前後の柔軟シートを使い、貼って剥がせる反復使用可能なウレタンエラストマー粘着剤等を両面に塗布し、片面を壁面等に粘着する場合に置いて、係止シート１の壁に貼られた面の裏側の露出しているいわゆる表面に、平滑な平面を有する小物物体を軽く押圧することで係止保持できる係止シートとなる。この場合の係止シート１の粘着剤を塗布した部分は剥離紙で被覆する。
【００３４】
袋状の物体のポケットに、重量物や、落下して壊れるものは避けた方が良いが、大きい荷重に耐える要件は、粘着摩擦力とその面積の相乗であるから、係止シート本体２部分を大きくするとポケットに入れられる荷重が大きくても耐えられることになるが、本発明の主たる目的は、従来設置できず、利用できなかった壁面に袋状の物体を備えられる目的が達成でき、生活空間の有効利用ができて、豊かに、効率的に、快適な便利品が提供することにある。
【００３５】
なお、壁面に粘着係止保持した、ポケットの落下を防ぎ、より安全を確保するために、係止シートを製作する過程で生じるスペースを活用してできた、片２ａ、２ｂ使用することができる他、更に安全を望む場合は、市販のスコッチテープを補助用に使用しも良い。
剥がれて落下する場合でも、吸盤の真空状態を利用して吸着保持する場合の、真空状態を保てなくなると突然落下する状態と違い、係止シートを使用して係止保持する場合は、剥がれる前兆が視覚できるので、対策が取れるので突然剥がれ落ちることは少ない。
【００３６】
粘着力に差が生じるとしても、ほとんどの壁面に粘着可能で、少し大きい粘着剤付きシートを介してポケットが備えられる係止シートは、生活上の便利品となる。
更に、厚みが５ｍｍ前後の平らな適度の重量の物体であれば、壁面に貼って保持することが可能である。
【図面の簡単な説明】
【００３７】
【図１】本発明第一実施例の正面図である。
【図２】本発明第一実施例のＡ断面拡大図である。
【図３】本発明第一実施例の係止シートを積層にした斜視図である。
【図４】本発明第一実施例の側面図である。
【図５】本発明第一実施例のポケットを係止している斜視図である。
【図６】本発明第一実施例のポケットを壁面に係止している側面図である。
【図７】本発明第二実施例の正面面図である。
【図８】本発明第三実施例の正面図である。
【図９】本発明第四実施例の正面図である。
【図１０】本発明第五実施例の正面図である。
【符号の説明】
【００３８】
１；係止シート
２；係止シート本体
２ａ；補強用粘着片
２ｂ；補強用粘着片
３；袋状の物体の口を拡開するための舌片
４；ステイ
５ａ；切り込み部
５ｂ；切り込み部
５ａａ；切り込みの接続部
５ｂａ；切り込みの接続部
６；ミシン目状折込線
７；粘着剤
８；剥離紙
９；台紙
Ｐ；袋状の物体
Ｗ：壁面
【図１】
2006167349.tif 000003
【図２】
2006167349.tif 000004
【図３】
2006167349.tif 000005
【図４】
2006167349.tif 000006
【図５】
2006167349.tif 000007
【図６】
2006167349.tif 000008
【図７】
2006167349.tif 000009
【図８】
2006167349.tif 000010
【図９】
2006167349.tif 000011
【図１０】
2006167349.tif 000012